(57)【要約】【課題】止水性に優れ、特に引戸コーナー部と外枠との水密向上に効果的な下枠フラットサッシを提供する。【解決手段】下枠フラットサッシは、下枠と竪枠と引戸とを備え、下枠は上面が略フラットで挿入溝を有し、挿入溝は下枠室内側タイト材を有し、竪枠は引戸戸当り框の見込み面に向けて突出する竪枠側突条を有し、引戸は下框部垂下片と戸当り框部垂下片と戸当り框側突条と竪タイト材と戸当り框シールピースとを有し、下框部垂下片は下框の長手方向に設けて挿入溝に入るものであり、下框部垂下片と戸当り框部垂下片とが連続し且つ下枠室内側タイト材に当接し、戸当り框側突条は引戸戸当り框に設け、竪タイト材は戸当り框側突条に取り付けてあり、戸当り框シールピースは、、竪タイト材当接部と戸当り框部垂下片当接部と下枠上面当接部とを有し、戸当り框の竪枠側見込み面下端部に上下方向の位置を調整自在に取り付けてある。【選択図】  図１
2006225933.tif 000002
【特許請求の範囲】
【請求項１】
下枠と、竪枠と、引戸とを備え、
下枠は、上面が略フラットで、かつ、上面長手方向に挿入溝を有し、挿入溝は室内側壁長手方向に下枠室内側タイト材を有し、
竪枠は、引戸戸当り框の見込み面に向けて突出する竪枠側突条を有し、
引戸は、下框部垂下片と、戸当り框部垂下片と、戸当り框側突条と、竪タイト材と、戸当り框シールピースとを有し、
下框部垂下片は、下框の長手方向に設けて挿入溝に入るものであり、
戸当り框部垂下片は、戸当り框に設けてあり、下框部垂下片と戸当り框部垂下片とが連続し且つ下框部垂下片と戸当り框部垂下片との室内側面が下枠室内側タイト材に当接し、
戸当り框側突条は、引戸戸当り框の長手方向に設けてあり、
竪タイト材は、戸当り框側突条の室内側面に取り付けてあり且つ引戸が閉じた際に竪枠側突条の室外側面に当接するものであり、
戸当り框シールピースは、竪タイト材の見込み面に当接する竪タイト材当接部と、戸当り框部垂下片の室内側面に当接する戸当り框部垂下片当接部と、下枠上面に当接する下枠上面当接部とを有し、戸当り框の竪枠側見込み面下端部に上下方向の位置を調整自在に取り付けてあることを特徴とする下枠フラットサッシ。
【請求項２】
戸当り框シールピースは、挿入溝内に入り込んで下枠室内側タイト材上面に当接する下枠室内側タイト材上面当接部を有していることを特徴とする請求項１記載の下枠フラットサッシ。
【発明の詳細な説明】
【技術分野】
【０００１】
本発明は、下枠上面を略フラットに形成した下枠フラットサッシに関する。
【背景技術】
【０００２】
住宅等の分野において、ユニバーサルデザインの下に、バリアフリー化が進められていて、下枠上面を略フラットに形成した下枠フラットサッシの要望が高い。
【０００３】
特開２００４−２７０４４１号公報には、下枠フラットサッシに関し、竪枠にタイト材を取り付け、戸当り框との間をシールする技術を開示するが、屋外開口部に取り付けるサッシにおいて、下枠上面を略フラットにすると、雨水が下枠上面に流れ込み、下枠及び竪枠とで形成するコーナー部に滞留しやすくなる。
従って、この下枠及び竪枠とで形成するコーナー部と引戸の隙間を確実にシールしないと室内漏水の原因となりやすい。
ところが、下枠、竪枠の組み付けにバラツキがあり、下框の垂下片を下枠の溝に呑み込ませて止水するのが難しかった。
【０００４】
【特許文献１】特開２００４−２７０４４１号公報
【発明の開示】
【発明が解決しようとする課題】
【０００５】
本発明は、上記背景技術に鑑みて止水性に優れ、特に引戸コーナー部と外枠との水密向上に効果的な下枠フラットサッシの提供を目的とする。
【課題を解決するための手段】
【０００６】
本発明に係る下枠フラットサッシは、下枠と、竪枠と、引戸とを備え、下枠は、上面が略フラットで、かつ、上面長手方向に挿入溝を有し、挿入溝は室内側壁長手方向に下枠室内側タイト材を有し、竪枠は、引戸戸当り框の見込み面に向けて突出する竪枠側突条を有し、引戸は、下框部垂下片と、戸当り框部垂下片と、戸当り框側突条と、竪タイト材と、戸当り框シールピースとを有し、下框部垂下片は、下框の長手方向に設けて挿入溝に入るものであり、戸当り框部垂下片は、戸当り框に設けてあり、下框部垂下片と戸当り框部垂下片とが連続し且つ下框部垂下片と戸当り框部垂下片との室内側面が下枠室内側タイト材に当接し、戸当り框側突条は、引戸戸当り框の長手方向に設けてあり、竪タイト材は、戸当り框側突条の室内側面に取り付けてあり且つ引戸が閉じた際に竪枠側突条の室外側面に当接するものであり、戸当り框シールピースは、竪タイト材の見込み面に当接する竪タイト材当接部と、戸当り框部垂下片の室内側面に当接する戸当り框部垂下片当接部と、下枠上面に当接する下枠上面当接部とを有し、戸当り框の竪枠側見込み面下端部に上下方向の位置を調整自在に取り付けてあることを特徴とする。
【０００７】
戸当り框側突条と竪枠側突条とは、引戸を閉じた際に見付面にて所定の間隙をおいて重なり合う際に、戸当り框側突条と竪枠側突条の間で竪タイト材を挟み込むようになる。
戸当り框シールピースを戸当り框の竪枠側見込み面下端部の上下方向の位置を調整自在に取り付けたので、引戸の建て付け調整に合わせて、竪タイト材下端部と下枠上面との隙間を容易に塞ぐことができる。
【０００８】
また、戸当り框シールピースに、挿入溝内に入り込んで下枠の室内側タイト材上面に当接する下枠室内側タイト材上面当接部を有するので、竪タイト材下端部で挿入溝の室内側タイト材の上面との隙間も塞ぐ。
【発明の効果】
【０００９】
本発明においては、竪タイト材と下枠室内側タイト材とのコーナー継ぎ部に、戸当り框シールピースを上下方向の取付位置を調整自在に取り付けたので、戸当り框シールピースの取付位置を調整して、竪枠及び下枠上面と引戸とのコーナー部を連続的にシールできる。
これにより、室内漏水の恐れの高いコーナー部の止水性が高く、水密性に優れた下枠フラットサッシとなる。
【発明を実施するための最良の形態】
【００１０】
図３に、本発明に係る下枠フラットサッシの横断面図を示し、図４に縦断面図を示す。
なお、図３及び図４に示した下枠フラットサッシは、外障子６０と内障子５０からなる引違いサッシの例であるが、本発明は片引き戸、両開き戸等、各種引戸に適用できる。
【００１１】
下枠フラットサッシは、住宅等の躯体開口部に、下枠１０、竪枠（内障子戸当り框側の竪枠）２０、竪枠（外障子戸当り框側竪枠）３０、及び上枠４０にて略方形の枠体を形成し、その見込み面内側に内障子５０、外障子６０等の引戸を装着している。
【００１２】
図１に下枠１０と竪枠２０とで形成するコーナー部の部分拡大図を示し、図１（イ）は下枠を下にして上から見たコーナー部横断面図で、図１（ロ）は、下枠縦断面図である。
また、図２に分かりやすくするために、後述する竪タイト材５２ｂと戸当り框シールピース８０と下枠１０との関係を示す要部図を示す。
図２（ａ）は、上下方向の位置係を示し、図２（ｂ）は水平方向の位置関係を示す。
下枠１０は、室外側ベース部材１１ａと室内側ベース部材１１ｂとを断熱材１１ｃで連結した断熱サッシになっている。
下枠上面１２は、上面部材１２ａ、１２ｂ、１２ｃをベース部材に嵌着した略フラット面に形成してあり、引戸（内障子）５０の下框部垂下片５１ａを挿入する挿入溝１３を有する。
同様に、引戸（外障子）６０の下框部垂下片６１ａを挿入する挿入溝１４を有する。
また、上面部材１２ｂとベース部材との間も断熱材１１ｄを取り付けてあり、結露を防止している。
【００１３】
下枠上面の長手方向に形成した挿入溝１３の室内側壁に下枠室内側タイト材１５を取り付けて、下框部垂下片５１ａと戸当り框部垂下片７１との見付面（室内側面）に当接させている。
なお、必要に応じて挿入溝の室外側壁に下枠室外側タイト材１６を取り付けて垂下片（５１ａ、７１）の室外側面に当接させても良い。
また、外障子６０の下框部垂下片６１ａを挿入する挿入溝１４の室内側壁に下枠室内側タイト材１７を取り付けて下框部垂下片６１ａの室内側面に当接させている。
なお、本実施例で示した下框部垂下片は、下框の下面の室外側から垂下した例になっているが、下框部垂下片は下框下面の室内側に設けてもよく、室内外の両方に設けてもよい。
【００１４】
図３及び図４に示すように、内障子となる引戸５０は下框５１、上框５４、戸当り框５２、召合框５３で、枠体を形成し、見込み面内側にガラス等のパネル５６を装着している。
下框内部には戸車５５を取り付けてあり、戸車が下枠の上面を走行する。
外障子となる引戸６０も下框６１、上框６４、当り框６２、召合框６３で枠体を形成し、見込み面内側にパネルを装着している。
図１に示すように、竪枠２０には、引戸戸当り框の見込み面に向けて突出する竪枠側突条２１を有し、戸当り框の竪枠側見込み面の室外側位置長手方向に戸当り框側突条５２ａを形成し、この戸当り框側突条５２ａの先端部よりにタイト材ホルダーを形成し、竪タイト材５２ｂを取り付けてあり、引戸５０が閉じた際に竪枠側突条２１に当接する。
これにより、戸当り框側突条５２ａと竪枠側突条２１との見付面で竪タイト材を挟み込むことになる。
【００１５】
図５に戸当り框５２と下框５１との組み付け部の斜視図を示し、図６に戸当り框下面に戸当り框部垂下片７１を有する戸当り框下面ピース７０及び戸当り框シールピース８０を取り付けた状態を示す。
図５に示すように、下框５１の下面室外側位置で、長手方向に下框部垂下片５１ａを有している。
下框５１の長手方向端面を呑み込むように戸当り框５２の見込み面を組み付けて、戸当り框の下面に戸当り框部垂下片７１を有する戸当り框下面ピース７０を取り付ける。
戸当り框部垂下片７１は戸当り框下面ピース７０の室外側位置に形成してあり、図６に示すように下框部垂下片５１ａと連続する。
従って、下框部垂下片を下面室内側に設けた場合には、戸当り框下面ピースに設ける戸当り框部垂下片も室内側になる。
また、図５に示すように、戸当り框下面ピース７０は、戸当り框の中空部に挿入する取り付け部７２と戸当り框端面カバー部７３を有し、戸当り框に係止部材７５にて取り付ける。
【００１６】
戸当り框シールピース８０を戸当り框の竪枠側見込み面下端部に取り付ける。
戸当り框シールピース８０は、図７（イ）に斜視図、（ロ）に平面図、（ハ）に正面図、（ニ）に側面図を示すように、竪タイト材の見込み面に当接する竪タイト材当接部８１と、戸当り框部垂下片の室内側面に当接する戸当り框部垂下片当接部８２と、下枠上面に当接する下枠上面当接部８３と、下枠室内側タイト材上面当接部８４を有していて、図１及び図２に示すように、竪タイト材当接部８１が竪タイト材５２ｂの見込み面に当接し、戸当り框部垂下片当接部８２が戸当り框部垂下片７１の室内側面に当接し、下枠上面当接部８３が下枠上面に当接するように取り付け調整する。
この場合に、図５及び図７に示すように、戸当り框シールピース８０に、係止部材８６の径に対して長孔で孔幅のやや大きい取付孔８５を形成してあり、戸当り框の竪枠側見込み面下端部の上下方向の位置を調整自在に戸当り框シールピースを取り付けることができる。
なお、係止部材８６は戸当り框下面ピース７０に形成した係止孔７４に裸着する。
また、引戸のスライド時に下枠上面当接部８３は下枠上面を摺接し、竪タイト材当接部８１、戸当り框部垂下片当接部８２及び下枠室内側タイト材上面当接部８４は相手側に密着する観点から、これらの当接部［図２（ａ）に点で示した部分］は軟質系の材質が好ましく、係止部材８６で固定する部分等は硬質系の樹脂材料等がよい。
【図面の簡単な説明】
【００１７】
【図１】下枠と竪枠とで形成するコーナー部の部分拡大図を示し、（イ）は下枠を下にして上から見たコーナー部横断面図で、（ロ）は下枠縦断面図を示す。
【図２】戸当り框シールピースと下枠及び下框との関係を示す要部図である。
【図３】下枠フラットサッシの横断面図を示す。
【図４】下枠フラットサッシの縦断面図を示す。
【図５】戸当り框と下框との組み付け部の斜視図を示す。
【図６】戸当り框下面に戸当り框下面ピース及び戸当り框シールピースを取り付けた状態を示す。
【図７】戸当り框シールピースを示す。
【符号の説明】
【００１８】
１０    下枠
１１ａ  室外側ベース部材
１１ｂ  室内側ベース部材
１２ａ、１２ｂ、１２ｃ  上面部材
１３    挿入溝
１５    下枠室内側タイト材
２０    竪枠
２１    竪枠側突条
５０    引戸（内障子）
５１    下框
５１ａ  下框部垂下片
５２    戸当り框
５２ａ  戸当り框側突条
５２ｂ  竪タイト材
７０    戸当り框下面ピース
７１    戸当り框部垂下片
８０    戸当り框シールピース
８１    竪タイト材当接部
８２    戸当り框部垂下片当接部
８３    下枠上面当接部
８４    下枠室内側タイト材上面当接部
８５    戸当り框シールピース取付孔
【図１】
2006225933.tif 000003
【図２】
2006225933.tif 000004
【図３】
2006225933.tif 000005
【図４】
2006225933.tif 000006
【図５】
2006225933.tif 000007
【図６】
2006225933.tif 000008
【図７】
2006225933.tif 000009